【手続補正書】
【提出日】平成15年10月17日(2003.10.17)
【手続補正１】
【補正対象書類名】明細書
【補正対象項目名】発明の名称
【補正方法】変更
【補正の内容】
【発明の名称】用紙処理装置、プリンタ、及び出力紙処理装置


【手続補正２】
【補正対象書類名】明細書
【補正対象項目名】特許請求の範囲
【補正方法】変更
【補正の内容】
【特許請求の範囲】
【請求項１】
用紙に所定の処理を行う処理手段を有する用紙処理装置において、
前記処理手段が行う前記所定の処理に関する情報と、前記所定の処理に要する処理時間に関する情報とを複数の用紙の各々について記憶する記憶手段と、
前記記憶手段に記憶された前記所定の処理に関する情報に基づいて、前記所定の処理に要する処理時間に関する情報を算出する算出手段と、
前記複数の用紙における第１の用紙に関する情報であって前記記憶手段に記憶された前記所定の処理に要する処理時間に関する情報に基づいて、前記第１の用紙と前記第１の用紙に引き続く第２の用紙との搬送間隔を制御する制御手段と
を備えたことを特徴とする用紙処理装置。
【請求項２】
前記所定の処理は、複数の用紙に対するステープル処理と、前記ステープル処理を行うべく前記複数の用紙を積載部に積載する積載処理と、前記積載部に積載される前記複数の用紙に対する整合処理とのうち少なくともいずれかを含むことを特徴とする請求項１に記載の用紙処理装置。
【請求項３】
前記所定の処理は、前記複数の用紙を積載する積載部において前記複数の用紙における所定枚数の用紙をシフトさせるシフト手段を含むことを特徴とする請求項１に記載の用紙処理装置。
【請求項４】
用紙を出力するプリンタであって、前記プリンタから用紙を搬入して所定の処理を行う出力紙処理装置が付加されるプリンタにおいて、
用紙を前記出力紙処理装置に出力する出力手段と、
前記出力手段により出力された第１の用紙を搬入してから前記第１の用紙に引き続く第２の用紙を搬入するまでに前記出力紙処理装置が行う前記所定の処理に関する処理情報を、前記出力紙処理装置から受信する受信手段と、
前記出力手段による前記用紙の出力を制御する制御手段であって、前記受信手段が受信した前記処理情報に基づいて、前記第１の用紙と前記第２の用紙との搬送間隔を制御する制御手段と
を有することを特徴とするプリンタ。
【請求項５】
前記出力手段が出力する用紙に関する用紙情報を記憶する記憶手段と、
前記記憶手段に記憶された前記用紙情報を前記出力紙処理装置に送信する送信手段と
を有し、
前記受信手段は、前記送信手段が送信した前記用紙情報に基づいて前記出力紙処理装置が送信する前記処理情報を受信する
ことを特徴とする請求項４に記載のプリンタ。
【請求項６】
前記出力手段が出力する用紙を検知する検知手段を有し、
前記送信手段は、前記検知手段の検知状態が変化したことに応じて前記用紙情報を前記出力紙処理装置に送信する
ことを特徴とする請求項５に記載のプリンタ。
【請求項７】
用紙を出力するプリンタから搬入される用紙に所定の処理を行う処理手段を有する出力紙処理装置において、
前記プリンタから出力される用紙に関する用紙情報を受信する受信手段と、
前記受信手段が受信した前記用紙情報に基づいて、前記プリンタから第１の用紙を搬入してから前記第１の用紙に引き続く第２の用紙を搬入するまでに行う前記所定の処理に関する処理情報を前記プリンタに送信する送信手段と
を有し、
前記処理手段は、前記受信手段が受信した前記用紙情報に基づいて前記用紙に前記所定の処理を行う
ことを特徴とする出力紙処理装置。
【請求項８】
前記所定の処理は、前記プリンタから搬入される複数の用紙に対するステープル処理と、前記ステープル処理を行うべく前記複数の用紙を積載部に積載する積載処理と、前記積載部に積載される前記複数の用紙に対する整合処理とのうち少なくともいずれかを含むことを特徴とする請求項７に記載の出力紙処理装置。
【請求項９】
前記プリンタから搬入される用紙を積載する複数の積載手段を有し、
前記用紙情報は、前記用紙を前記複数の積載手段のいずれへ積載すべきかを示す情報である
ことを特徴とする請求項７に記載の出力紙処理装置。
【手続補正３】
【補正対象書類名】明細書
【補正対象項目名】０００１
【補正方法】変更
【補正の内容】
【０００１】
【発明の属する技術分野】
本発明は、用紙に所定の処理を行う処理手段を有する用紙処理装置、プリンタ、及びプリンタから搬入された用紙に対して所定の処理を行う出力紙処理装置に関する。


【手続補正４】
【補正対象書類名】明細書
【補正対象項目名】０００６
【補正方法】変更
【補正の内容】
【０００６】
本発明の目的は、このような問題点を解決し、最適なプロダクティビティ（処理速度）で、安定して長く、かつ消費電力を増加させずに、全体的な用紙処理速度をより速くすることができる用紙処理装置、プリンタ、及び出力紙処理装置を提供することにある。


【手続補正５】
【補正対象書類名】明細書
【補正対象項目名】０００７
【補正方法】変更
【補正の内容】
【０００７】
【課題を解決するための手段】
請求項１の発明は、用紙に所定の処理を行う処理手段を有する用紙処理装置において、前記処理手段が行う前記所定の処理に関する情報と、前記所定の処理に要する処理時間に関する情報とを複数の用紙の各々について記憶する記憶手段と、前記記憶手段に記憶された前記所定の処理に関する情報に基づいて、前記所定の処理に要する処理時間に関する情報を算出する算出手段と、前記複数の用紙における第１の用紙に関する情報であって前記記憶手段に記憶された前記所定の処理に要する処理時間に関する情報に基づいて、前記第１の用紙と前記第１の用紙に引き続く第２の用紙との搬送間隔を制御する制御手段とを備えたことを特徴とする。


【手続補正６】
【補正対象書類名】明細書
【補正対象項目名】０００８
【補正方法】変更
【補正の内容】
【０００８】
請求項１において、所定の処理は、複数の用紙に対するステープル処理と、前記ステープル処理を行うべく前記複数の用紙を積載部に積載する積載処理と、前記積載部に積載される前記複数の用紙に対する整合処理とのうち少なくともいずれかを含むことができる。


【手続補正７】
【補正対象書類名】明細書
【補正対象項目名】０００９
【補正方法】変更
【補正の内容】
【０００９】
請求項１において、所定の処理は、前記複数の用紙を積載する積載部において前記複数の用紙における所定枚数の用紙をシフトさせるシフト手段を含むことができる。


【手続補正８】
【補正対象書類名】明細書
【補正対象項目名】００１０
【補正方法】変更
【補正の内容】
【００１０】
請求項４の発明は、用紙を出力するプリンタであって、前記プリンタから用紙を搬入して所定の処理を行う出力紙処理装置が付加されるプリンタにおいて、用紙を前記出力紙処理装置に出力する出力手段と、前記出力手段により出力された第１の用紙を搬入してから前記第１の用紙に引き続く第２の用紙を搬入するまでに前記出力紙処理装置が行う前記所定の処理に関する処理情報を、前記出力紙処理装置から受信する受信手段と、前記出力手段による前記用紙の出力を制御する制御手段であって、前記受信手段が受信した前記処理情報に基づいて、前記第１の用紙と前記第２の用紙との搬送間隔を制御する制御手段とを有することを特徴とする。


【手続補正９】
【補正対象書類名】明細書
【補正対象項目名】００１１
【補正方法】変更
【補正の内容】
【００１１】
請求項４において、出力手段が出力する用紙に関する用紙情報を記憶する記憶手段と、前記記憶手段に記憶された前記用紙情報を出力紙処理装置に送信する送信手段とを有することができ、受信手段は、送信手段が送信した前記用紙情報に基づいて出力紙処理装置が送信する前記処理情報を受信することができる。


【手続補正１０】
【補正対象書類名】明細書
【補正対象項目名】００１２
【補正方法】変更
【補正の内容】
【００１２】
請求項５において、出力手段が出力する用紙を検知する検知手段を有することができ、送信手段は、検知手段の検知状態が変化したことに応じて前記用紙情報を出力紙処理装置に送信することができる。


【手続補正１１】
【補正対象書類名】明細書
【補正対象項目名】００１３
【補正方法】変更
【補正の内容】
【００１３】
請求項７の発明は、用紙を出力するプリンタから搬入される用紙に所定の処理を行う処理手段を有する出力紙処理装置において、前記プリンタから出力される用紙に関する用紙情報を受信する受信手段と、前記受信手段が受信した前記用紙情報に基づいて、前記プリンタから第１の用紙を搬入してから前記第１の用紙に引き続く第２の用紙を搬入するまでに行う前記所定の処理に関する処理情報を前記プリンタに送信する送信手段とを有し、前記処理手段は、前記受信手段が受信した前記用紙情報に基づいて前記用紙に前記所定の処理を行うことを特徴とする。


【手続補正１２】
【補正対象書類名】明細書
【補正対象項目名】００１４
【補正方法】変更
【補正の内容】
【００１４】
請求項７において、所定の処理は、前記プリンタから搬入される複数の用紙に対するステープル処理と、前記ステープル処理を行うべく前記複数の用紙を積載部に積載する積載処理と、前記積載部に積載される前記複数の用紙に対する整合処理とのうち少なくともいずれかを含むことができる。


【手続補正１３】
【補正対象書類名】明細書
【補正対象項目名】００１５
【補正方法】変更
【補正の内容】
【００１５】
請求項７において、前記プリンタから搬入される用紙を積載する複数の積載手段を有することができ、用紙情報は、前記用紙を複数の積載手段のいずれへ積載すべきかを示す情報とすることができる。


【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】